(57)【要約】【課題】時刻情報に応じて画像表示及び音声出力の条件を変化させることにより、ユーザに優しくまた操作性を向上させるとともに、消費電力の低減に寄与させる。【解決手段】コンテンツ出力装置は、時計１６により得られる時刻情報、もしくはチューナ１２で受信したデジタル放送の放送波信号に含まれている時刻情報を用いて、予め定められた条件に従ってその時刻情報に応じた表示画像及び音声出力の制御を行う。例えば、一日のうち夜の時間帯は、ＬＣＤ１９に表示時させる映像を相対的に暗くし、昼の時間帯は映像を相対的に明るくする。ここでは映像信号の輝度等を処理することで調整してもよく、またバックライト２１の発光輝度を調整してもよい。また夜の時間帯では、スピーカ２３から出力させる音量を相対的に低くしておき、昼の時間帯では音量を大きくするようにしてもよい。【選択図】図１
2007027930.tif 000002
【特許請求の範囲】
【請求項１】
映像コンテンツを入力する映像コンテンツ入力手段と、該映像コンテンツ入力手段により入力した映像コンテンツに含まれる映像情報を表示する表示手段と、該映像コンテンツに含まれる音声情報を出力する音声出力手段とを備えるコンテンツ出力装置において、該コンテンツ出力装置は、現在の時刻情報を取得する時刻情報取得手段と、前記表示手段に表示させる映像及び／または前記音声出力手段から出力させる音声の出力条件を時刻情報に従って変更するための出力条件設定値を記憶する出力条件設定値記憶手段と、該出力条件設定値記憶手段に記憶した前記出力条件設定値と前記時刻情報取得手段から取得した現在の時刻情報とを用いて、該現在の時刻情報に応じた出力条件で、映像及び／または音声を出力させる出力制御手段とを有することを特徴とするコンテンツ出力装置。
【請求項２】
請求項１に記載のコンテンツ出力装置において、該コンテンツ出力装置は、時計データを生成可能な時計を有し、前記時刻情報取得手段は、前記時計から現在の時刻情報を取得することを特徴とするコンテンツ出力装置。
【請求項３】
請求項１に記載のコンテンツ出力装置において、該コンテンツ出力装置は、放送信号を受信もしくは入力可能な放送信号入力手段を有し、前記時刻情報取得手段は、前記放送信号入力手段から入力した放送信号に含まれる時刻情報から現在の時刻情報を取得することを特徴とするコンテンツ出力装置。
【請求項４】
請求項１ないし３のいずれか１に記載のコンテンツ出力装置において、該コンテンツ出力装置は、入力したビデオ信号を映像処理して前記表示手段に表示すべき映像信号を生成する映像処理部を備え、該映像処理部で生成された映像信号を前記表示手段に表示させる表示装置として構成され、前記出力制御手段は、前記現在の時刻情報に応じた出力条件に従って、前記映像処理部により生成される映像信号の画質を制御することを特徴とするコンテンツ出力装置。
【請求項５】
請求項４に記載のコンテンツ出力装置において、該コンテンツ出力装置は、前記表示手段として液晶表示パネルを備え、さらに該液晶パネルを照明するためのバックライトと、該バックライトの点灯制御を行うためのバックライト制御手段とを有し、前記出力制御手段は、現在の時刻情報に応じた出力条件に従って、前記バックライト制御手段によるバックライトの発光輝度を制御することを特徴とするコンテンツ出力装置。
【請求項６】
請求項１ないし５のいずれか１に記載のコンテンツ出力装置において、前記出力条件設定値記憶手段に記憶させる前記出力条件設定値は、ユーザ操作に従って変更設定が可能であることを特徴とするコンテンツ出力装置。
【請求項７】
請求項１ないし６のいずれか１に記載のコンテンツ出力装置において、前記出力条件設定値に従う出力設定を有効とするか、または無効とするかをユーザ操作に応じて切り換えることができる出力条件設定有効／無効切り換え手段を有することを特徴とするコンテンツ出力装置。
【請求項８】
請求項１ないし７のいずれか１に記載のコンテンツ出力装置において、前記出力制御手段は、前記コンテンツ出力装置の電源がＯＮになったときの時刻情報に従って、前記出力条件を決定し、該決定した出力条件を前記電源がＯＦＦになるまで維持することを特徴とするコンテンツ出力装置。
【請求項９】
請求項１ないし７のいずれか１に記載のコンテンツ出力装置において、前記出力制御手段は、前記コンテンツ出力装置の電源がＯＮになったときの時刻情報に従って、前記出力条件を決定し、その後刻々と変化する時刻情報を監視し、該時刻情報に応じて出力条件の設定値が変化した場合には、該変化した出力条件に従って画像及び／または音声を出力させることを特徴とするコンテンツ出力装置。
【請求項１０】
請求項１ないし９のいずれか１に記載のコンテンツ出力装置において、前記現在の時刻情報に応じた映像出力の出力設定条件は、映像の輝度、シャープネス、色相、色の濃さ、黒レベル、明るさセンサの感度設定値、コントラスト、及びγ補正値のいずれかまたは複数が前記時刻情報に応じて設定されていることを特徴とするコンテンツ出力装置。
【発明の詳細な説明】
【技術分野】
【０００１】
本発明は、コンテンツ出力装置、より具体的には、取得した時刻情報を用いてコンテンツの表示画像の画質や音量を制御するようにしたコンテンツ出力装置に関する。
【背景技術】
【０００２】
例えば、放送番組コンテンツを出力するテレビジョン受像機等のコンテンツ出力装置において、周囲の環境や、出力すべき映像信号の状態に応じて画像表示や音声出力の条件を制御する技術が開示されている。
例えば、液晶パネルを用いたコンテンツ出力装置において、その装置の周囲環境輝度を検出し、その環境輝度と映像の輝度情報を用いてバックライトの発光強度を制御する技術がある。あるいは、コンテンツ出力装置に予め設定されている表示モード、例えば、映画モード、ゲームモード、ダイナミックモードなどに応じで、表示映像の画質や音声出力の音質を制御することが行われている。ここでは、例えば、上記モードの変更に応じて、表示映像の黒レベル、色の濃さ、色あい（色相）、画質などが変化し、また高音と低音の出力特性が変更されるようにしている。これらの機能により、ユーザは、コンテンツ出力装置の周囲の環境や、その表示モードに応じて、出力映像の出力条件を最適化してユーザに優しく、あるいは環境負荷の少ない画像表示が提供される。
【０００３】
またテレビ放送において、曜日や時間帯に応じて主として必要とする情報を拡大表示したり、または不必要な情報を非表示とするようにレイアウトをユーザの任意に設定できるようにした技術が開示されている（特許文献１）。ここでは、テレビ情報を受信し、その時の時刻を示す時間情報を検出し、その時間情報に対応するレイアウト設定がなされているか否かを判断する。そして設定されていない場合は放送局から送られてくるそのままの基本レイアウトでテレビ放送の映像を表示するが、設定されている場合は、該当するレイアウト設定データを再生し、レイアウト設定の対象外のオブジェクトは基本レイアウトで、レイアウト設定の対象オブジェクトは設定されたレイアウトで表示される。
【特許文献１】特開２０００−２２４５８１号公報
【発明の開示】
【発明が解決しようとする課題】
【０００４】
例えばテレビジョン装置等のコンテンツ出力装置では、一日の時間帯によって周囲環境が変化する。すなわち昼と夜では画像表示装置周囲の照度が異なり、画像表示装置に必要な画質（明るさや色あい、色の濃さなど）も変化する。また周囲の騒音等も時間帯によって異なり、必要とする音量や周囲に迷惑とならない音量なども時間帯によって変化するものといえる。
【０００５】
また、上記のような一日の時間帯のみならず、１週間や１ヶ月あるいはさらに長いスパンにおいて周囲の環境がある法則に従って変化し、これに応じて最適な映像出力条件が変化する場合もある。
このような環境変化は、一日の時間帯に応じた照度の変化のように一般的に生じる変化である場合もあるし、ユーザ個人の生活や周囲の特定の環境に応じた個別的な変化である場合もある。
【０００６】
上記従来の技術では、環境輝度を検出してバックライトの明るさを制御したり、画像表示装置の表示モードに応じて表示画面の画質を制御したりしているが、時刻情報に応じて画質を制御できるものではなかった。
例えば、従来のような技術の場合、騒音の大きい昼間に比較的大音量でコンテンツ出力装置を使用していた場合、深夜になって再度コンテンツ出力装置を使用しようとしたときに、上記大音量の設定が維持されているため、電源を入れたときに大音量のまま音声出力がなされてしまい、ただちに音量を下げる操作が必要となって操作性が良くない、という課題があった。
また特許文献１の技術は、時刻を示す時間情報に応じて表示画像のレイアウトを変更するのみであり、画質や音声出力を時刻情報に応じて制御する思想については開示されていない。
【０００７】
本発明は、上述のごとき実情に鑑みてなされたもので、時刻情報に応じて画像表示及び音声出力の条件を変化させることにより、ユーザに優しくまた操作性を向上させるとともに、消費電力の低減に寄与するコンテンツ出力装置を提供することを目的とするものである。
【課題を解決するための手段】
【０００８】
上記課題を解決するために、第１の技術手段は、映像コンテンツを入力する映像コンテンツ入力手段と、映像コンテンツ入力手段により入力した映像コンテンツに含まれる映像情報を表示する表示手段と、映像コンテンツに含まれる音声情報を出力する音声出力手段とを備えるコンテンツ出力装置において、コンテンツ出力装置は、現在の時刻情報を取得する時刻情報取得手段と、表示手段に表示させる映像及び／または音声出力手段から出力させる音声の出力条件を時刻情報に従って変更するための出力条件設定値を記憶する出力条件設定値記憶手段と、出力条件設定値記憶手段に記憶した出力条件設定値と時刻情報取得手段から取得した現在の時刻情報とを用いて、現在の時刻情報に応じた出力条件で、映像及び／または音声を出力させる出力制御手段とを有することを特徴としたものである。
【０００９】
第２の技術手段は、第１の技術手段において、コンテンツ出力装置が、時計データを生成可能な時計を有し、時刻情報取得手段は、時計から現在の時刻情報を取得することを特徴としたものである。
【００１０】
第３の技術手段は、第１の技術手段において、コンテンツ出力装置が、放送信号を受信もしくは入力可能な放送信号入力手段を有し、時刻情報取得手段は、放送信号入力手段から入力した放送信号に含まれる時刻情報から現在の時刻情報を取得することを特徴としたものである。
【００１１】
第４の技術手段は、第１ないし第３のいずれか１の技術手段において、コンテンツ出力装置が、入力したビデオ信号を映像処理して表示手段に表示すべき映像信号を生成する映像処理部を備え、映像処理部で生成された映像信号を表示手段に表示させる表示装置として構成され、出力制御手段は、現在の時刻情報に応じた出力条件に従って、映像処理部により生成される映像信号の画質を制御することを特徴としたものである。
【００１２】
第５の技術手段は、第４の技術手段において、コンテンツ出力装置は、表示手段として液晶表示パネルを備え、さらに液晶パネルを照明するためのバックライトと、バックライトの点灯制御を行うためのバックライト制御手段とを有し、出力制御手段は、現在の時刻情報に応じた出力条件に従って、バックライト制御手段によるバックライトの発光輝度を制御することを特徴としたものである。
【００１３】
第６の技術手段は、第１ないし第５のいずれか１の技術手段において、出力条件設定値記憶手段に記憶させる出力条件設定値は、ユーザ操作に従って変更設定が可能であることを特徴としたものである。
【００１４】
第７の技術手段は、第１ないし第６のいずれか１の技術手段において、出力条件設定値に従う出力設定を有効とするか、または無効とするかをユーザ操作に応じて切り換えることができる出力条件設定有効／無効切り換え手段を有することを特徴としたものである。
【００１５】
第８の技術手段は、第１ないし第７のいずれか１の技術手段において、出力制御手段が、コンテンツ出力装置の電源がＯＮになったときの時刻情報に従って、出力条件を決定し、決定した出力条件を電源がＯＦＦになるまで維持することを特徴としたものである。
【００１６】
第９の技術手段は、第１ないし第７のいずれか１の技術手段において、出力制御手段は、コンテンツ出力装置の電源がＯＮになったときの時刻情報に従って、出力条件を決定し、その後刻々と変化する時刻情報を監視し、時刻情報に応じて出力条件の設定値が変化した場合には、変化した出力条件に従って画像及び／または音声を出力させることを特徴としたものである。
【００１７】
第１０の技術手段は、第１ないし第９のいずれか１の技術手段において、現在の時刻情報に応じた映像出力の出力設定条件は、映像の輝度、シャープネス、色相、色の濃さ、黒レベル、明るさセンサの感度設定値、コントラスト、及びγ補正値のいずれかまたは複数が時刻情報に応じて設定されていることを特徴としたものである。
【発明の効果】
【００１８】
本発明によれば、時刻情報に応じて画像表示及び音声出力の条件を変化させることにより、操作性を向上させ、またユーザに優しい装置を提供できるとともに、消費電力の低減に寄与するコンテンツ出力装置を提供することができる。
【発明を実施するための最良の形態】
【００１９】
本発明のコンテンツ出力装置は、該コンテンツ出力装置が備える時計により得られる時刻情報、もしくはテレビジョン受信機として構成されたコンテンツ出力装置が、デジタル放送の放送波信号に含まれている時刻情報を用いて、予め定められた条件に従ってその時刻情報に応じた表示画像及び音声出力の制御を行う。
【００２０】
図１は、本発明のコンテンツ出力装置に適用可能な液晶テレビの構成例を説明するための図である。液晶テレビ１０において、チューナ１２は、アンテナ１１によって受信されたテレビジョン放送信号からチャンネルを選局する。またビデオ入力端子１３は、液晶テレビ１０に内蔵もしくは外部接続されたＡＶ機器からのビデオ信号を入力する。ここではビデオ入力端子１３は、例えばＤＶＤやＣＡＴＶから入力するビデオ信号や、ＰＣから入力するコンピュータ映像信号等の入力端子を総称するものとする。そして切換部１４において、チューナ１２で選局されたテレビジョン放送信号とビデオ入力端子１３を介して入力したビデオ信号とを切換出力する。
【００２１】
切換部１４から出力された映像信号は映像処理部１７で映像処理され、ＬＣＤ制御部１８に出力される。映像処理部１７は、入力したビデオ信号から映像信号の生成処理や各種の画質調整処理等を行う。例えば、コンポジット信号のＹＣ分離処理、ＹＣ信号からＲＧＢ信号を生成するＲＧＢ信号デコード処理、ＡＤ変換処理、色空間変換処理、ＩＰ変換処理、スケーリング処理、ＦＲＣ処理、γ変換処理、色補正処理、同期検出処理、ＯＳＤ表示処理等を適宜行う。本発明に関わる時刻情報に応じた画質制御は、主に上記映像処理部１７及び後述するＬＣＤ制御部１８によって実施される。
【００２２】
ＬＣＤ制御部１８は、映像処理部１７から出力されたＲＧＢの画像表示信号に従ってＬＣＤ１９のソースドライバに出力する階調データ及び信号線制御信号を生成するとともに、ゲートドライバに出力する走査線制御信号を生成し、ＬＣＤ１９における画像表示制御を行う。またＬＣＤ制御部１８は、インバータ回路等を備えた光源駆動部２０へ出力するバックライト制御信号を生成し、バックライト２１の蛍光ランプの発光駆動制御を行う。
また切換部１４から出力された音声信号は、音声処理部２２で処理されてスピーカ２３から音声出力される。
【００２３】
リモコン受光部１５は、リモコン装置３０から送信された赤外線によるリモコン操作信号を受光し、制御部２５へ送る。制御部２５は、リモコン受光部１５で受光したリモコン操作信号を検出・解析し、チューナ１２、切換部１４、映像処理部１７、ＬＣＤ制御部１８、音声処理部２２等に対してそれらの動作を制御する制御信号を出力する。
【００２４】
時計１６は、例えば、発振回路とカウンタとによって構成され、ユーザがセットした時間情報に従って時刻情報を出力するものであり、通常、時計用のバックアップ電源によってバックアップされている。
本実施形態の画像及び音声出力制御に使用する時刻情報は、時計１６から得るものとし、この他デジタル放送波に含まれる時刻情報から取得することもできる。
【００２５】
上記時計１６は、液晶テレビ１０の図示しない電源回路によって駆動する。ここではユーザセッティングが正しくないと正確な時刻情報を出力することができず、またＡＣ電源コードが商用電源コンセントから抜かれたような場合には、バックアップ電源による供給電源が消耗したときに動作が停止する。
一方、上記デジタル放送波に含まれる時刻情報は、本実施形態の液晶テレビ１０がデジタル放送波を受信しているときには、いつでも正確な時刻情報を得ることができる。ここでは、デジタル放送波から取得した正確な時間情報を適宜制御部２５によって時計１６に設定できるようにした手段を設けてもよい。
【００２６】
なお、映像コンテンツを入力する本発明の映像コンテンツ入力手段、及び放送信号を受信または入力可能な放送信号入力手段は、上記図１の構成例では、アンテナ１１とチューナ１２及びビデオ入力端子１３により実現される。また本発明の表示手段は上記ＬＣＤ１９により実現され、また本発明の音声出力手段は上記スピーカ２３により実現される。
【００２７】
また、現在の時刻情報を取得する本発明の時刻情報取得手段と、現在の時刻情報に応じた出力条件で映像及び／または音声を出力させる出力制御手段と、出力条件設定値に従う出力条件設定を有効とするかまたは無効とするかを切り換える出力条件設定有効／無効切り換え手段とは、上記制御部２５によって実現される。これら各手段は、これら各手段の機能を実現するプログラムやデータがメモリ２４または制御部２５からアクセス可能な図示しないＲＯＭ等のメモリに記憶され、これらプログラムやデータが制御部２５のＲＡＭ等に読み取られることにより実現される。
また上記出力条件設定有効／無効切り換え手段に対するユーザ操作は、例えばリモコン装置３０から入力することができ、あるいは図示しない操作ボタンや操作キーにより入力することができる。
【００２８】
また出力条件設定値を記憶する本発明の出力条件設定値記憶手段は、上記メモリ２４によって実現される。またバックライトの点灯制御を行う本発明のバックライト制御手段は、上記ＬＣＤ制御部１８及び光源駆動部２０により実現される。
【００２９】
上記のごとくの構成の液晶テレビ１０を用いて、時刻情報に応じた表示画像及び音声出力の制御条件（出力条件）を設定しておく。
ここでは、ユーザが個々に時刻情報と、画像表示及び音声出力条件との設定を行うことができるようにする。また液晶テレビ１０の製造出荷時のデフォルト設定を設け、ユーザは一般的な条件に設定されたデフォルト設定を用いて、液晶テレビ１０による映像コンテンツの視聴を行うことができるようにする。このときに上記の各ユーザの個別設定値と、デフォルト設定値を切り換え可能に構成してもよい。
またここでは、上記の時刻情報に応じた出力設定を有効にするか、もしくは無効にするかをユーザが設定できるようにしてもよい。
【００３０】
ユーザが設定した上記時刻情報に応じた出力条件の設定値（出力条件設定値）は、メモリ２４に保存しておく。そして、液晶テレビ１０の制御部２５は、時計１６から時刻情報を取得し、もしくはデジタル放送波をチューナ１２から受信中であれば、そのデジタル放送波から時刻情報を取得して、メモリ２４に保存した画像表示及び音声出力の出力条件設定値に従って、その時刻に応じた制御を行う。ここで制御部２５は、映像処理部１７による画質制御や、ＬＣＤ制御部１８によるバックライト制御、及び音声処理部２２による音声出力制御を行うことより、上記出力条件設定値に応じた出力条件で画像表示及び音声出力を行うようにする。なお、外部から時刻情報を取得する手段は、上記のデジタル放送波に限定されることなく、アナログ放送波に時刻情報が含まれるような場合には、適宜時刻情報を取得することができる。この他、時刻情報を含む外部からの入力信号があれば、その時刻情報を使用することができる。
【００３１】
上記の画像表示及び音声出力の出力条件設定値の項目は、予め適宜定めておくことができる。上記出力条件設定値に従って制御する部分は、上述したように映像処理部１７により制御される表示画面の画質、ＬＣＤ制御部１８により制御されるバックライトの輝度、及び音声処理部２２によって制御される出力音声の音量及び音質、のいずれかまたは複数である。
【００３２】
上記表示画像の画質は、例えば画像の輝度（ブライトネス）、シャープネス、色相（ヒュー）、色の濃さ、黒レベル、γ補正値等を適宜設定可能であり、その他画質に関わる項目を追加することもできる。また、画面輝度を検出する明るさセンサを設けて、その明るさセンサによる検出結果に応じて上記画質を変更するようにしてもよい。このときに、明るさセンサの感度を適宜変更することで上記表示画像の画質を制御することもできる。また、明るさセンサの検出結果に応じてバックライトの輝度を制御するようにしてもよい。これら画質に関わる出力条件設定値に従う映像処理は、アンテナ１１で受信された放送波や、各種のビデオ入力端子１３から入力した映像信号に対して映像処理部１７で実行される。
【００３３】
また上記出力音声の音量及び音質は音声処理部２２によって制御される。これらの音声処理は、アンテナ１１で受信した放送波や、各種のビデオ入力端子１３から入力した映像信号から分離された音声信号に対して実行される。
【００３４】
また上記のバックライトの輝度制御は、ＬＣＤ制御部１８によって実行される。図２は、図１に示した液晶テレビの光源駆動部２０及びバックライト２１の構成例を示す図である。バックライト２１は、ＬＣＤ１９を照明する陰極管（ＣＣＦＴ：Cold Cathode Fluorescent Tube）からなる複数の蛍光ランプ６１が備えられる。
光源駆動部２０は、ＬＣＤ制御部１８からの制御信号に従ってバックライト２１の点灯制御を行うマイコン（マイクロコンピュータ）４０と、複数のインバータ５１を備えたインバータ回路５０からなっている。インバータ回路５０は、商用電源から変換された直流電圧を数十Ｋ〜数百ＫＨｚの高周波電圧に変換してバックライト２１を駆動する。
【００３５】
マイコン４０は、マイコン内部及び外部の装置に対してバックライト２１の点灯制御を行う制御手段４１と、インバータ回路５０に調光パルスを供給する調光パルス発生回路４２と、調光パルス発生回路４２により生成した調光パルスのパルス幅及び周期を変調してインバータ回路５０に入力するＰＷＭ（Pulse Width Modulation：パルス幅変調）部４３とを備えている。
【００３６】
調光パルス発生回路４２は、基準発振クロックを生成する基準発振器（図示せず）を有しており、このクロックに基づいて調光パルスを生成する。ここでは一つの基準発振器により周波数の異なる複数の調光パルスを生成して各ＰＷＭ部４３に出力するようにしてもよいし、複数の基準発振器を備え、それぞれが異なる周期の調光パルスを各ＰＷＭ部４３に出力するようにしてもよい。
【００３７】
インバータ回路５０は、上記のように複数のインバータ５１を含んでいる。各インバータ５１は、上記ＡＣアダプタの出力から供給される直流電圧をトリガーとして入力し数十Ｋ〜数百ＫＨｚの高周波電圧に変換して各蛍光ランプ６１に供給する。また、各インバータ５１には、調光パルス発生回路４２により生成され各ＰＷＭ部４３において変調された調光パルスが入力されており、この調光パルスにより各蛍光ランプ６１に供給する高周波電圧を調整するように構成されている。
【００３８】
制御手段４１は、上記光源駆動部２０の基本駆動電源制御とは別に、ＬＣＤ制御部１８からの制御信号を受けてバックライト２１の輝度を変更する駆動電源制御を行う。ここでバックライト２１の輝度を調整するための制御信号に従う駆動電源制御には、バックライトの輝度変更、バックライトのオン／オフ、及び各蛍光ランプ６１の一部オフも含まれる。
【００３９】
調光パルス発生回路４２により生成した調光パルスは、ＰＷＭ部４３に入力され、ＰＷＭ部４３の発振回路を通じてインバータ回路５０に出力される。これにより、電源から供給され、高周波電圧として蛍光ランプ６１に出力される駆動電圧を、一定周期でオン／オフすることができるようになっている。すなわち、光源駆動部２０の制御手段４１は、ＬＣＤ制御部１８から出力された輝度を制御する制御信号に従って、バックライト２１の輝度を制御することができる。
【００４０】
上記のような構成例により、予め定めた出力条件設定値に応じて、時刻に従って表示画像や出力音声の出力条件を制御する。
出力条件の設定は、例えば、液晶テレビ１０の電源をＯＮにしたときに、そのときの時刻情報に従って出力条件を決定し、その出力条件を電源がＯＦＦになるまで維持するようにしてもよく、また刻々と変化する時刻情報を監視し、時刻情報に応じて出力条件設定値が変化した場合には、その出力条件設定値に応じた画像及び音声出力を行うようにしてもよい。
【００４１】
例えば、一日のうち夜の時間帯は、映像を相対的に暗くし、昼の時間帯は映像を相対的に明るくする。映像の明るさは映像信号のブライトネス等を処理することで調整してもよく、またバックライトの発光輝度を調整してもよく、またこれらを併用してもよい。
また一日のうち夜の時間帯では、音量を相対的に低くしておき、昼の時間帯では音量を大きくするようにしてもよい。この場合、映像の明るさや音量を夜間に低く設定しておくことにより、液晶テレビの消費電力を低減させる効果が得られる。
【００４２】
上記の例は、ごく一般的な制御例であるが、デフォルト設定値及びユーザ設定値ともに、適宜自由な設定が可能である。
例えば、毎週日曜日は、画面の輝度やコントラストを上げて音量も高くする、などの設定が可能である。また常に決まった曜日と時間帯に子供や年寄りが液晶テレビを視聴するような場合に、その時間帯では画面の輝度を落として目に優しい表示を行わせるようにしてもよい。あるいはカレンダーに基づく特定の日に、特定の条件で出力制御を行うようにしてもよい。
図３は、上記液晶テレビにおける出力条件設定のためのメニュー表示の一例を示す図である。ユーザは、リモコン装置３０の操作キーや、液晶テレビ１０の操作パネル等を操作することにより、図３（Ａ）に示すようなメニュー画面７０を表示させることができる。
このときメニューバーに表示された“本体設定”７１を選択すると、その“本体設定”７１に関するプルダウンメニュー７２が表示される。そしてこのプルダウンメニュー７２には、本発明に関わる出力条件設定のための“タイムポジション設定”７２ａが含まれている。
【００４３】
ここで上記“タイムポジション設定”７２ａをユーザが選択すると、図３（Ｂ）のようなメニュー画面７３が表示される。ここでは、時刻情報に従って、映像や音声の出力条件を自動で調整するかどうかを設定することができる。本例では、メニュー画面７３には、“有効にする”７４、“有効にしない”７５、及び“ユーザー設定”７６の各項目が選択可能になっている。
【００４４】
“有効にする”７４を選択すれば、現在の時刻情報に応じた出力条件で映像及び／または音声を出力させる設定を有効にすることができる。また“有効にしない”７５を選択すれば、上記設定を有効としないようにすることができる。また“ユーザー設定”７６を選択すると、上記映像と音声の出力条件を設定できる画面が開かれる。
【００４５】
図４は、時刻情報に応じた映像／音声の出力条件のユーザ設定画面例を示す図で、出力条件のユーザ設定画面例を図４（Ａ）に、図４（Ａ）の“設定番号”の入力例を図４（Ｂ）に、図４（Ａ）の“時間”の入力例を図４（Ｃ）、図４（Ａ）の“曜日”の設定例を図４（Ｄ）に、図４（Ａ）の“リセット”の設定例を図４（Ｅ）に示すものである。
?
【００４６】
上記のように“ユーザー設定”７６選択すると、図４に示すようなユーザ設定画面８０が開かれる。ユーザ設定画面８０には、“設定番号”８１、“時間”８２、“曜日”８３、“映像”８４、“音声”８５、“リセット”８６の各項目が設定され、ユーザは任意に出力条件を設定することができる。“設定番号”８１，“時間”８２，“曜日”８３，“リセット”８６の設定例は、それぞれ図４（Ｂ）〜図４（Ｅ）に示される。
【００４７】
“映像”８４は、明るさ、映像、黒レベル、色の濃さ、色あい、画質等の項目についてそれぞれ設定可能である。また“音声”は、高音、低音、バランス等の項目についてそれぞれ設定が可能である。
また“リセット”８６は、工場出荷時のデフォルトの設定にリセットできるようにしたもので、例えば図４（Ｅ）に示すように全ての設定番号に関わる設定をリセットしてもよく、また特定の設定番号に関わる設定をリセットするようにしてもよい。
【００４８】
上記のように、時計１６から得られる時刻情報もしくはデジタル放送波等の放送信号から得られる時刻情報に基づいて、表示画像や出力音声の制御を行うが、この他上記時刻情報を用いて下記のような制御を行うように構成してもよい。
例えば、テレビジョン放送番組におけるコマーシャルの部分は、予め時刻情報により判別できるため、上記の出力条件設定値に加えて、コマーシャル時の表示切り替えを行う条件設定値をメモリ２４に保持させておく。このときに、コマーシャル番組と通常の放送番組との間で、表示画像の画質（輝度（ブライトネス）、シャープネス、色相（ヒュー）、色の濃さ、黒レベル、γ補正値等）やバックライトの輝度、及び出力音声の音量や音質を変更するように定めておくことができる。またこのときに、コマーシャル番組のときには、表示中のチャンネルの他のチャンネルでどのような番組が放送されているかをユーザが視認できるように、自動でザッピングを行うようにしてもよい。
【００４９】
そして液晶テレビ１０の制御部２５は、上記メモリ２４に保持させた出力条件設定値と、時計１６もしくはデジタル放送波から取得した時刻情報とを用いて、その出力条件設定値に従う映像出力を行うようにする。
【００５０】
また、上記と同様の出力条件設定値に項目を付加し、ステレオ出力とモノラル出力を時刻情報に応じて切り換えるようにしてもよい。このとき上記と同様に、ステレオ出力とモノラル出力時において、表示画面の画質やバックライトの輝度、及び音量や音質を変更するように設定することができる。
【００５１】
また同様に、上記と同様の出力条件設定値の項目の付加により、１６対９のワイド画面と、４対３の画面とを時刻情報に応じて切り換えるようにしてもよい。
あるいは、ＬＣＤ１９に表示させる画面を、ＴＶ用画面とパソコン用画面とで時刻情報に応じて切り換えるようにしてもよい。
さらに同様に、チューナ１２からの入力信号とビデオ入力端子１３からの入力信号（例えばＤＶＤ，ＣＡＴＶ等）を時刻情報に応じて切り換えるようにしてもよい。
さらに同様に、ＬＣＤ１９の表示画面を、１画面表示と２画面表示とで時刻情報に応じて切り換えるようにしてもよい。例えば、午後８時からは、２画面表示の一方で映画を表示し、他方で野球放送を表示させるようにすることができる。
【００５２】
これらの場合も上記と同様に、ＴＶ用画面とパソコン用画面、チューナ１２からの入力信号とビデオ入力端子１３からの入力信号、あるいは１画面表示と２画面表示とにおいて、表示画面の画質やバックライトの輝度、及び音量や音質を変更するように設定することができる。
【図面の簡単な説明】
【００５３】
【図１】本発明のコンテンツ出力装置に適用可能な液晶テレビの構成例を説明するための図である。
【図２】図１に示した液晶テレビの光源駆動部及びバックライトの構成例を示す図である。
【図３】液晶テレビにおける出力条件設定のためのメニュー表示の一例を示す図である。
【図４】時刻情報に応じた映像／音声の出力条件のユーザ設定画面例を示す図である。
【符号の説明】
【００５４】
１０…液晶テレビ、１１…アンテナ、１２…チューナ、１３…ビデオ入力端子、１４…切換部、１５…リモコン受光部、１６…時計、１７…映像処理部、１８…ＬＣＤ制御部、１９…ＬＣＤ、２０…光源駆動部、２１…バックライト、２２…音声処理部、２３…スピーカ、２４…メモリ、２５…制御部、３０…リモコン装置、４０…マイコン、４１…制御手段、４２…調光パルス発生回路、４３…ＰＷＭ部、５０…インバータ回路、５１…インバータ、６１…蛍光ランプ。
【図１】
2007027930.tif 000003
【図２】
2007027930.tif 000004
【図３】
2007027930.tif 000005
【図４】
2007027930.tif 000006